(57)【要約】【課題】  他のコンピュータに装着されている記録媒体読み書き装置をあたかも外付けの記録媒体読み書き装置として使用することが可能な記録媒体読み書き装置を提供すること。【解決手段】  一種類または複数種類により構成された複数のインターフェース３０、４０が配設された記録媒体読み書き装置１００であって、インターフェース３０、４０は、インターフェース毎に優先順位が設定されていて、複数のコンピュータ１１０、１２０がインターフェース３０、４０に同時に接続した場合、記録媒体読み書き装置１００に内蔵されている制御手段７０が、優先順位が最上位に設定されているインターフェース３０または４０を有効にすると共に、他のインターフェース４０または３０を遮断することを特徴とする記録媒体読み書き装置１００である。【選択図】        図２
2006155246.tif 000002
【特許請求の範囲】
【請求項１】
一種類または複数種類により構成された複数のインターフェースが配設された記録媒体読み書き装置であって、
前記インターフェースは、インターフェース毎に優先順位が設定されていて、
複数のコンピュータが前記インターフェースに同時に接続した場合、記録媒体読み書き装置に内蔵されている制御手段が、優先順位が最上位に設定されているインターフェースを有効にすると共に、他のインターフェースを遮断することを特徴とする記録媒体読み書き装置。
【請求項２】
一種類または複数種類により構成された複数のインターフェースが配設された記録媒体読み書き装置であって、
前記インターフェースのうち１のインターフェースには予めコンピュータに接続されていて、
前記１のインターフェース以外のインターフェースに他のコンピュータが接続された場合、記録媒体読み書き装置に内蔵されている制御手段が、前記１のインターフェースを遮断すると共に他のコンピュータに接続されたインターフェースを有効にすることを特徴とする記録媒体読み書き装置。
【請求項３】
前記インターフェースのうち、少なくともひとつのインターフェースは、前記記録媒体読み書き装置の前面側に設けられていることを特徴とする請求項１または２記載の記録媒体読み書き装置。
【請求項４】
前記制御手段は、遮断すべきインターフェースに、記録媒体の読み取りエラー信号を送信することによりインターフェースを遮断することを特徴とする請求項１〜３のうちのいずれか一項記載の記録媒体読み書き装置。
【請求項５】
前記制御手段は、遮断すべきインターフェースに、イジェクト信号を送信することによりインターフェースを遮断することを特徴とする請求項１〜３のうちのいずれか一項記載の記録媒体読み書き装置。
【発明の詳細な説明】
【技術分野】
【０００１】
本発明は記録媒体読み書き装置に関し、より詳細には、記録媒体読み書き装置に外部接続パソコンが接続された際、記録媒体読み書き装置を外部接続パソコンの外付け装置として利用可能に設けられた記録媒体読み書き装置に関する。
【背景技術】
【０００２】
近年におけるパソコンの小型化は顕著である。簡易にパソコンを小型化する方法としては、例えば、記録媒体の読み書き装置の省略や配設数を減少させる方法がある。このような、記録媒体の読み書き装置が省略されたパソコンにおいて、記録媒体の読み書き装置が必要になった場合には、いわゆる外付けの記録媒体読み書き装置を接続しなければならない。このような外付けの記録媒体読み書き装置としては、例えば、非特許文献１にあるようなパラレル接続等による外部装置が提供されている。
【非特許文献１】ホームページ：富士通；ビジネスユーザ向け情報；ＦＭＶ（パソコン）；今までに発表した製品；ＦＭＶ−ＬＩＦＥＢＯＯＫ；ＦＭＶ−ＬＩＦＥＢＯＯＫ  ＭＦ；６２６６ＭＦ３／Ｗ；ＭＦシリーズの特長：２００４年１１月２２日検索。http://www.fmworld.net/biz/fmv/product/former/blb9901/line.html#mc
【発明の開示】
【発明が解決しようとする課題】
【０００３】
外付けの外部装置が接続されたパソコンは、パソコン単体時に比べて持ち運びが不便であり、小型化した意味がなくなってしまうといった課題がある。また、あるひとつの記録媒体読み書き装置を接続してしまうと他の記録媒体へのアクセスが制限されてしまうといった課題もある。
さらに、複数のパソコンを保有している場合には、外付けの記録媒体読み書き装置が重複してしまうことがあり、現有資源の有効活用ができないという課題もある。
【０００４】
本発明は、他のコンピュータに装着されている記録媒体読み書き装置をあたかも外付けの記録媒体読み書き装置として使用することが可能な記録媒体読み書き装置の提供を目的とするものである。
【課題を解決するための手段】
【０００５】
本発明は、一種類または複数種類により構成された複数のインターフェースが配設された記録媒体読み書き装置であって、前記インターフェースは、インターフェース毎に優先順位が設定されていて、複数のコンピュータが前記インターフェースに同時に接続した場合、記録媒体読み書き装置に内蔵されている制御手段が、優先順位が最上位に設定されているインターフェースを有効にすると共に、他のインターフェースを遮断することを特徴とする記録媒体読み書き装置である。
【０００６】
また他の発明は、一種類または複数種類により構成された複数のインターフェースが配設された記録媒体読み書き装置であって、前記インターフェースのうち１のインターフェースには予めコンピュータに接続されていて、前記１のインターフェース以外のインターフェースに他のコンピュータが接続された場合、記録媒体読み書き装置に内蔵されている制御手段が、前記１のインターフェースを遮断すると共に他のコンピュータに接続されたインターフェースを有効にすることを特徴とする記録媒体読み書き装置である。
【０００７】
また、前記インターフェースのうち、少なくともひとつのインターフェースは、前記記録媒体読み書き装置の前面側に設けられていることを特徴とする。
これにより、記録媒体読み書き装置を或るコンピュータに内蔵させている場合であっても、他のインターフェースへの他のコンピュータを容易に接続することができる。
【０００８】
また、前記制御手段は、遮断すべきインターフェースに、記録媒体の読み取りエラー信号を送信することによりインターフェースを遮断することを特徴とする。
また、前記制御手段は、遮断すべきインターフェースに、イジェクト信号を送信することによりインターフェースを遮断することを特徴とする。
これらにより、記録媒体読み書き装置が或るインターフェースを介してコンピュータに認識されている状態において、このインターフェースより優先順位が上位に設定されている他のインターフェースに他のコンピュータが接続された場合であっても、或るコンピュータにシステムエラーを起こさせることなく、インターフェースを遮断すると共に、他のコンピュータのインターフェースを有効にすることが可能になる。
【発明の効果】
【０００９】
本発明にかかる記録媒体読み書き装置によれば、小型化等により記録媒体の読み書き装置が省略されたコンピュータであっても、他のコンピュータに接続されている記録媒体読み書き装置を使用することができるため、外付け装置を新たに購入する必要がなくなる。これにより、コンピュータの持ち運びが容易になる。また、外付けの記録媒体読み書き装置を他のコンピュータに使用させることができるため、現有装置の有効利用が可能になる。
【発明を実施するための最良の形態】
【００１０】
以下、本発明にかかる記録媒体読み書き装置１００の実施の形態について、図面に基づいて説明する。
図１は、本実施の形態における記録媒体読み書き装置の斜視図である。図２は、本実施の形態における記録媒体読み書き装置のブロック図である。なお、本実施の形態においては、コンピュータとしてパソコンを用い、記録媒体読み書き装置をパソコン内蔵型光ディスク装置１００とした形態について説明を行うことにする。
【００１１】
本実施の形態における光ディスク装置１００は、筐体１０と、筐体１０の背面側（被接続パソコンの内部側）に配設された電源端子２０およびＡＴＡＰＩ接続端子３０と、筐体１０の前面に配設された外部接続用端子４０、フロントカバー５０およびイジェクトボタン６０と、筐体１０の内部に配設されたＣＰＵ等の制御手段７０により概略が構成されている。筐体１０の内部には、制御手段７０の他に、スピンドルモータ、光ディスクを載置するトレイ、光ピックアップ、ＲＦアンプ等一般的な光ディスク装置が具備する部品（それぞれ図示せず）が配設されている。光ディスク装置１００は、被接続パソコン１１０のベイ部分（図示せず）に設置されている。
【００１２】
電源端子２０およびＡＴＡＰＩ接続端子３０は、被接続パソコン内１１０の電源ラインおよびマザーボード（共に図示せず）と、制御手段７０にそれぞれ電気的に接続されている。
外部接続用端子４０は、ＵＳＢ接続端子の他、ＩＥＥＥ１３９４接続端子やＳＣＳＩ接続端子等の公知の外部接続用端子であれば、いずれの形態であってもかまわない。本実施の形態においては、外部接続用端子４０としてＵＳＢ接続端子（以下、ＵＳＢ接続端子４０という）を用いている。
【００１３】
制御手段７０は、電源端子２０、ＡＴＡＰＩ接続端子３０、ＵＳＢ接続端子４０、イジェクトボタン６０のそれぞれと電気的に接続されている。制御手段７０には、ＡＴＡＰＩ接続端子３０の優先順位よりもＵＳＢ接続端子４０の優先順位の方を優先させるように予め設定されている。このように、パソコン内蔵型の光ディスク装置１００においては、筐体１０の前面側に配設されている接続端子（インターフェース）の優先順位を他の接続端子の優先順位よりも上位に設定されていることが好ましい。
【００１４】
次に、本光ディスク装置の動作について説明する。図３は、本実施の形態における光ディスク装置１００の動作を示すフロー図である。
まず、ユーザが被接続パソコン１１０の電源を印加し、光ディスク装置１００に光ディスクを装着する（スタート）。光ディスク装置１００の制御手段７０は、前面のＵＳＢ接続端子４０に外部接続パソコン１２０が接続されているか否かを判断する（Ｓ１）。ＵＳＢ接続端子４０に外部接続パソコン１２０が接続されていなければ（Ｎｏ側）、制御手段７０は被接続パソコン１１０に接続されているＡＴＡＰＩ接続端子３０による通信（ステップ７）を行う。したがって光ディスク装置１００は、被接続パソコン１１０の光ディスクドライブとして認識され、動作する。
【００１５】
一方、ユーザによりＵＳＢ接続端子４０に外部接続パソコン１２０が接続されていた場合（または、外部接続パソコン１２０がユーザによりＵＳＢ接続端子４０に接続された場合）には（Ｙｅｓ側）、制御手段７０は、イジェクト信号を背面側のＡＴＡＰＩ接続端子３０に送信し（Ｓ２）、被接続パソコン１１０に、光ディスク装置１００には光ディスクが装着されていない状態であると認識させる。これにより、ＡＴＡＰＩ接続端子３０によるアクセスが遮断される。さらに、制御手段７０は、前面側のＵＳＢ接続端子４０によるアクセスを確立させ、ＵＳＢ接続端子４０による外部接続パソコン１２０と光ディスク装置１００の通信を開始する（Ｓ３）。このようにして光ディスク装置１００は、外部接続パソコン１２０の外部接続機器として認識され、本実施の形態における記憶媒体である光ディスクにアクセスする（Ｓ４）。
【００１６】
制御手段７０は、光ディスクへのアクセス中も常にＵＳＢ接続端子４０の接続の状態を確認している（Ｓ５）。例えば、光ディスクへのアクセスを終了した後、ユーザがＵＳＢ接続端子４０の接続を解除すると（Ｓ５のＹｅｓ側）、制御手段７０は、ＡＴＡＰＩ接続端子３０に送信していたイジェクト信号を解除（Ｓ６）して、ＵＳＢ接続端子４０における通信を停止すると共に、ＡＴＡＰＩ接続端子３０による通信を行う（Ｓ７）。これにより、光ディスク装置１００は、被接続パソコン１１０の内部装置として認識される。一方、ＵＳＢ接続端子４０の接続が維持されている（Ｓ５のＮｏ側）ならば、ＵＳＢ接続端子４０による光ディスク装置１００との通信を継続し、制御手段７０は、光ディスク装置１００に対し、（Ｓ２）から（Ｓ５）の動作を繰り返し実行させる。
このように制御手段７０は、ＵＳＢ接続端子４０からの入力信号に基づいて、イジェクト信号をＡＴＡＰＩ接続端子３０に送信するため、ＵＳＢ−ＡＴＡＰＩ変換手段としての機能も有している。
【００１７】
また、ユーザにより、ＵＳＢ接続端子４０が選択され、外部接続パソコン１２０の外部接続機器として認識された光ディスク装置１００の電源供給は、被接続パソコン１１０の電源端子２０からの電源供給が可能である他に、ＵＳＢ接続端子４０を介した外部接続パソコン１２０からの電源供給も可能であり、いずれの形態によってでも良い。なお、ＵＳＢ接続端子４０から光ディスク装置１００の電源を供給する場合には、被接続パソコン１１０の電源は必ずしも印加されていなくても良い。
【００１８】
以上に本願発明について、実施の形態に基づいて詳細に説明してきたが、本願発明は、以上の実施の形態に限定されるものではない。例えば、本実施の形態においては、外部接続用端子４０としてＵＳＢ接続端子４０に例えられる有線接続について説明しているが、有線接続の他に、赤外線接続や電波等を用いた無線通信による接続形態とすることができるのはもちろんである。この場合、マイクロ波により光ディスク装置１００への電源供給を実行することも可能ではあるが、光ディスク装置１００の構造を簡略にするためには、電源端子２０からの電源供給が好都合である。
【００１９】
また、光ディスク装置１００の制御手段７０は、被接続パソコン１１０が接続されているインターフェースにイジェクト信号を送信することにより、被接続パソコン１１０との接続インターフェース（ＡＴＡＰＩ接続端子）を遮断しているが、読み取りエラー信号を送信することにより、被接続パソコン１１０との接続インターフェースを遮断する形態とすることもできる。
要は、被接続パソコン１１０の接続インターフェースを、被接続パソコン１１０にシステムエラーを生じさせないようにして遮断することができれば、いずれの信号であっても構わない。
【００２０】
さらに、本実施の形態においては、インターフェースの種類が２種類である光ディスク装置１００に設けられた形態について説明しているが、１種類または３種類以上のインターフェースを配設しても良いのはもちろんである。この際、それぞれのインターフェースに関する優先順位が予め制御手段７０に設定されているので、最上位に設定されているインターフェースに接続されている外部コンピュータ１２０が光ディスク装置１００にアクセスすることが可能となるように設定しておけばよい。光ディスク装置１００の前面にある外部接続端子の優先順位が最上位に設定されていれば、使い勝手が良く好適である。
【００２１】
また、記録媒体読み書き装置１００は、いわゆる内蔵型ものに限定されるものではなく、外付け形式にすることもできる。この場合、被接続パソコン１１０との接続端子は必ずしもＡＴＡＰＩ接続端子３０である必要はなく、ＳＣＳＩ接続端子やＵＳＢ接続端子、ＩＥＥＥ１３９４接続端子であっても良い。
さらには、本実施の形態においては、記録媒体として光ディスクが用いられているが、光ディスク以外にも、磁気ディスクや、光磁気ディスクの他、フラッシュメモリ等の他の形式による記録媒体であっても、本願発明を適用することができるのはいうまでもない。
【図面の簡単な説明】
【００２２】
【図１】本実施の形態における記録媒体読み書き装置の斜視図である。
【図２】本実施の形態における記録媒体読み書き装置のブロック図である。
【図３】本実施の形態における光ディスク装置１００の動作を示すフロー図である。
【符号の説明】
【００２３】
１０  筐体
２０  電源端子
３０  ＡＴＡＰＩ接続端子
４０  外部接続端子（ＵＳＢ接続端子）
５０  フロントカバー
６０  イジェクトボタン
７０  制御手段
１００  光ディスク装置
１１０  被接続パソコン
１２０  外部接続パソコン
【図１】
2006155246.tif 000003
【図２】
2006155246.tif 000004
【図３】
2006155246.tif 000005